(57)【要約】【課題】ロック状態での撮影画像に対するユーザの意図しない処理の実行を回避する。【解決手段】ロックが解除されているカメラ４０１で撮影された画像は、ストレージ部分４０３のユーザ領域４０４へ記録する（４０６）。一方、操作が一定時間以上なされず、ロック状態となったカメラ４０２で撮影された画像は、ストレージ部分４０３のロック撮影領域４０５へ記録する（４０７）。ロック撮影領域４０５に記録された画像は、当該画像に対する扱いをユーザの指示の入力を待って確定する。【選択図】図４
2016063510.tif 000002
【特許請求の範囲】
【請求項１】
機能ないし操作が制限された第１状態と前記制限が解除された第２状態のいずれの状態でもユーザによる撮影が可能な撮像部を有する情報処理装置であって、
撮影時の前記撮像部の状態が前記第１状態か前記第２状態かを判別する判別手段と、
前記撮像部が前記第１状態のときに撮影された第１撮影画像を、前記第２状態のときに撮影された第２撮影画像と区別して所定の記録媒体に記録する記録手段と、
前記記録媒体に記録されている前記第１撮影画像に対する扱いを前記ユーザの指示の入力を待って確定する制御手段と、
を備えて成る情報処理装置。
【請求項２】
前記記録手段は、前記第１撮影画像を前記第２撮影画像と異なる記録領域に記録する、
請求項１記載の情報処理装置。
【請求項３】
前記記録手段は、前記第１状態で撮影されたことを表す撮影時情報を、前記第１撮影画像と関連付けて前記記録媒体に記録する、
請求項１記載の情報処理装置。
【請求項４】
前記制御手段は、前記第１撮影画像に対して行う処理の内容を前記指示の入力として受け付け、受け付けた内容の処理を実行し、実行した後は処理済を表す情報を当該第１撮影画像と関連付けて記録する、
請求項２又は３記載の情報処理装置。
【請求項５】
前記記録媒体に、前記第１撮影画像を記録するための第１記録領域と、第１記録領域と異なる第２記録領域とが形成されており、
前記制御手段は、前記第１記録領域に記録された前記第１撮影画像を前記第２記録領域へ移す処理又は当該第１撮影画像を前記第１記録領域から削除する処理を実行する、
請求項４記載の情報処理装置。
【請求項６】
前記第２記録領域がユーザ毎に割り当てられており、
前記制御手段は、前記指示の入力をユーザ毎に受け付け、前記第１撮影画像を、当該ユーザ用の第２記録領域へ移す処理を実行する、
請求項５記載の情報処理装置。
【請求項７】
ログイン可能な複数のユーザのアカウント情報を保持する管理手段を有し、
前記制御手段は、前記第１状態になる前に取得したアカウント情報と、前記第１状態が解除された後に取得したアカウントの情報とを比較し、アカウント情報が一致しない場合は、前記第１撮影画像に対する扱いを保留する、
請求項６記載の情報処理装置。
【請求項８】
前記第１状態は、前記撮像部の機能又は操作を再開する際に、ユーザの認証を必要とする状態であり、前記第２状態は前記認証が成功した状態である、
請求項１ないし７のいずれか１項記載の情報処理装置。
【請求項９】
機能ないし操作が制限された第１状態と前記制限が解除された第２状態のいずれの状態でもユーザによる撮影が可能な撮像装置であって、
撮影時の前記撮像部の状態が前記第１状態か前記第２状態かを判別する判別手段と、
前記撮像部が前記第１状態のときに撮影された第１撮影画像を、前記第２状態のときに撮影された第２撮影画像と区別して所定の記録媒体に記録する記録手段と、
前記第１撮影画像を操作するための操作画面を表示する表示手段と、
前記操作画面を通じて前記ユーザから入力された前記第１操作画像に対する処理の内容を受け付け、受け付けた処理の内容を実行する制御手段と、
を有する撮像装置。
【請求項１０】
機能ないし操作が制限された第１状態と前記制限が解除された第２状態のいずれの状態でもユーザによる撮影が可能な撮像部の撮影時の前記撮像部の状態を判別する工程と、
前記撮像部が前記第１状態のときに撮影された第１撮影画像を、前記第２状態のときに撮影された第２撮影画像と区別して所定の記録媒体に記録する工程と、
前記記録媒体に記録されている前記第１撮影画像に対する扱いを前記ユーザの指示の入力を待って確定する工程と、
を有する撮影画像の管理方法。
【請求項１１】
機能ないし操作が制限された第１状態と前記制限が解除された第２状態のいずれの状態でもユーザによる撮影が可能な撮像部を有するコンピュータを、
撮影時の前記撮像部の状態が前記第１状態か前記第２状態かを判別する判別手段、
前記撮像部が前記第１状態のときに撮影された第１撮影画像を、前記第２状態のときに撮影された第２撮影画像と区別して所定の記録媒体に記録する記録手段、及び、
前記記録媒体に記録されている前記第１撮影画像に対する扱いを前記ユーザの指示の入力を待って確定する制御手段、
として機能させる制御プログラム。
【発明の詳細な説明】
【技術分野】
【０００１】
本発明は、例えば撮像機能を有する情報処理装置において、機能又は操作の制限のある状態で撮影された画像をそうでない状態で撮影された画像と区別して管理する技術に関するものである。
【背景技術】
【０００２】
近年、スマートフォンのような多機能デバイス（以下、「スマートデバイス」という。）にも撮像機能が搭載されるようになっている。スマートデバイスには、ユーザの意図しない操作を防ぐためのロック機能も装備されている。ロック機能は、ユーザによる操作が一定時間なされなかった場合などに有効化される機能である。これにより、スマートデバイスはロック状態となる。ロック状態の解除は、予めユーザが設定したパスワードやパスコードを入力することにより行われる。このようなスマートデバイスがロック状態にある場合、パスワードを入力している間に、撮影したい瞬間を逃してしまうことがある。このような問題を解決する技術として、従来、ロック状態であっても撮像機能を起動して撮影を行えるようにする技術が知られている。また、特許文献１には、ロック状態では一部の機能を使用不能な状態でアプリケーションを起動し、使用不能な機能にアクセスする際に認証画面を表示させる技術が開示されている。
【先行技術文献】
【特許文献】
【０００３】
【特許文献１】ＵＳ２０１２／０００９８９６号公報
【発明の概要】
【発明が解決しようとする課題】
【０００４】
ロック機能は、撮像機能が物理的に不能になるものではないので、ロック状態でも画像の撮影自体は可能となる。また、ロック状態で撮影された画像は、アンロック状態で撮影された画像と何ら区別されない。そのため、撮影後の画像に対して、ユーザの意図しない処理が実行されてしまう場合がある。
例えば、撮影された画像（以下、「撮影画像」）を自動的にクラウド上のサーバと同期する処理がそのスマートデバイスに設定されている場合、ユーザの意図と無関係にクラウドに同期されてしまい、無駄な通信が発生してしまう。また、クラウド上のデータをウェブに公開される仕組みになっている場合には、ユーザが意図しない撮影画像が公開されてしまう可能性がある。
このような問題は、ロック機能以外の機能制限のある状態でも画像の撮影事態は可能となる情報処理装置において共通に生じる。
本発明の目的は、機能制限のある状態で撮影された画像を、機能制限のない状態で撮影された画像と区別可能な状態で管理することにより、ユーザの意図しない処理の実行を防ぐことができる情報処理装置を実現することにある。
【課題を解決するための手段】
【０００５】
本発明の情報処理装置は、機能ないし操作が制限された第１状態と前記制限が解除された第２状態のいずれの状態でもユーザによる撮影が可能な撮像部を有する情報処理装置であって、撮影時の前記撮像部の状態が前記第１状態か前記第２状態かを判別する判別手段と、前記撮像部が前記第１状態のときに撮影された第１撮影画像を、前記第２状態のときに撮影された第２撮影画像と区別して所定の記録媒体に記録する記録手段と、前記記録媒体に記録されている前記第１撮影画像に対する扱いを前記ユーザの指示の入力を待って確定する制御手段と、を備えた装置である。
【発明の効果】
【０００６】
本発明によれば、機能又は操作が制限された状態で撮影された画像に対する扱いについては、ユーザの指示の入力を待って確定するので、ユーザの意図しない処理の実行が回避される。
【図面の簡単な説明】
【０００７】
【図１】第１実施形態に係る情報処理装置の構成図。
【図２】第１実施形態による画像撮影時の処理手順説明図。
【図３】第１実施形態によるロック撮影領域画像の処理手順説明図。
【図４】第１実施形態に係るカメラの状態と記録先の関係を示す説明図。
【図５】第１の実施形態に係るカメラのストレージの状態を示す図。
【図６】ユーザによるロック撮影領域内の画像に対する操作と決定／未定の対応図。
【図７】第２実施形態によるユーザ領域記録の処理手順説明図。
【図８】第２実施形態によるロック撮影画像の処理手順説明図。
【図９】第２実施形態に係るカメラの状態と記録先の関係を示す図。
【図１０】第２実施形態によるカメラのファイルシステムの状態説明図。
【図１１】第３実施形態によるログインアカウント情報取得の処理手順説明図。
【図１２】ロック撮影画像操作画面の例を示す図。
【発明を実施するための形態】
【０００８】
［第1実施形態］
図１は、本発明の第１実施形態に係る情報処理装置の構成図である。この情報処理装置は、ＣＰＵ１０１、ＲＯＭ１０２、ＲＡＭ１０３、ストレージ１０４、表示部１０５、操作部１０６、撮像部１０７がシステムバス１０８を介して相互に通信できるコンピュータである。ＲＯＭ１０２は、本発明の制御プログラムや各種固定データを格納する読取専用のメモリである。ＣＰＵ１０１は、制御プログラムを読み込んで実行することにより情報処理装置全体を制御する。ＲＡＭ１０３は、ＳＲＡＭ、ＤＲＡＭ等で構成された書換え可能なメモリである。ＲＡＭ１０３は、ＣＰＵ１０１のワークエリアとして使用される。ＲＡＭ１０３には、また、プログラム制御変数、各種設定パラメータ、各種ワーク用バッファ等もＲＡＭ１０３に格納される。
ストレージ１０４は、ハードディスクや半導体メモリなどの不揮発性のメモリである。表示部１０５は、ＬＣＤ等を用いてオペレータに表示通知するための表示デバイスである。操作部１０６は、ユーザが各種入力操作を行うためのキーボードやポインティングデバイス等である。操作部１０６は、表示部１０５と一体化したタッチパネルで構成することもできる。撮像部１０７は、画像（静止画又は動画）を撮影する装置内蔵のカメラデバイスである。なお、以後の説明では、撮像部１０７（カメラデバイス）を単に「カメラ」と称する。
【０００９】
この情報処理装置は、カメラの機能又は操作が制限された第１状態、例えば従来技術と同様のロック状態にするロック機能と、ロック状態を解除してアンロック状態にするロック解除機能とを有するものである。つまり、第１状態は、撮像部１０７の機能又は操作を再開する際に、ユーザの認証を必要とする状態であり、第２状態は認証が成功した状態である。但し、ロック状態かアンロック状態かに関わらず、カメラは起動し、これにより撮影された画像は記録できるものとする。この情報処理装置は、また、シングルユーザ環境又はマルチユーザ環境で使用可能なものである。第１実施形態では、シングルユーザ環境で動作する場合の例を示す。
【００１０】
図２は、ＣＰＵ１０１が実行する全体処理の手順説明図である。この処理は、ボタン操作等により、カメラの起動が指示されたことに応じて開始される。ＣＰＵ１０１は、カメラを起動する（Ｓ２０１）。カメラの起動は、ユーザが所定のスイッチをオンにするか、表示部１０４に表示されたメニュー画面からカメラ機能のアイコンを操作するなどにより可能となる。カメラが起動すると、ＣＰＵ１０１は、ライブビューやカメラの操作メニューなどの操作画面を表示部１０４に表示させる。
ユーザが撮影の操作を行うと、ＣＰＵ１０１は、その操作を撮影コマンドとして受け付ける（Ｓ２０２）。撮影の操作は、図示しないシャッターボタンの押下操作や表示部１０５の画面上に表示された撮影アイコンのタップ操作によってなされる。撮影コマンドを受け付けると、ＣＰＵ１０１は、カメラがロック状態かどうかを判別する（Ｓ２０３）。つまり、判別手段として機能する。ロック状態の場合、ＣＰＵ１０１は、撮影コマンドの後に取得する画像（第１撮影画像）をストレージ１０４のロック撮影領域に記録するための制御を行う（Ｓ２０５）。ロック状態でなかった場合、ＣＰＵ１０１は、撮影コマンドの後に取得する画像（第２撮影画像）をストレージ１０４のユーザ領域に記録するための制御を行う（Ｓ２０４）。つまり、ＣＰＵ１０１が記録手段として機能する。
【００１１】
ここで、ロック撮影領域とユーザ領域について、図４を参照して説明する。図４では、説明の便宜上、一つのカメラが、アンロック状態にあるカメラ４０１と、ロック状態にあるカメラ４０２として表現されている。図４では、また、図１に示したストレージ１０４のうち、撮影画像のストレージ部分４０３を、ユーザ領域４０４とロック撮影領域４０５に区別することが概念的に示されている。ユーザ領域４０４及びロック撮影領域４０５は、例えば異なるフォルダを作成することで区別することができる。すなわち、ユーザ領域４０４を第１記録領域、ロック撮影領域４０５を第２記録領域として区別することができる。なお、１つのストレージ１０４に代えて、それぞれ異なる記録媒体をユーザ領域４０４又はロック撮影領域４０５とすることもできる。要は、第１撮影画像を第２撮影画像と異なる記録領域に記録する構成であれば良い。
矢印４０６は、装置がアンロック状態のときに撮影された撮影画像がユーザ領域４０４に記録されることを示す。同様に、矢印４０７は、装置がロック状態のときに撮影された撮影画像がロック撮影領域４０７に記録されることを示す。
【００１２】
ＣＰＵ１０１は、ストレージ１０４に記録されている撮影画像に対して、ユーザが指示した処理の内容を実行する制御手段として機能する。例えば、図４のロック撮影領域４０５に記録された撮影画像の扱いをユーザの指示の入力を待って確定するように制御する。図３は、このような撮影画像の扱いに関する処理の手順説明図であり、図５（ａ）〜（ｃ）は、図３の処理の過程で変化するストレージ部分４０３の状態遷移図である。
前提として、図５（ａ）に示す通り、「画像１」，「画像２」，「画像３」がストレージ部分４０３に記録されているものとする。つまり、ユーザ領域４０４に「画像１」，「画像２」が記録され、ロック撮影領域４０５に「画像３」が記録されているものとする。
【００１３】
次に図３を参照して、第１実施形態によるロック撮影領域画像の処理手順を説明する。図３に示す処理は、例えば、情報処理装置が有する物理ボタンが押下される、あるいはセンサによって所定の条件を満たす振動が検出されるなど、ユーザが情報処理装置に注目したことを検知して開始される。ＣＰＵ１０１は、カメラ（又は装置）がロック状態かどうかを判別する（Ｓ３０１）。ロック状態であった場合（Ｓ３０１：Ｙｅｓ）、ＣＰＵ１０１は、ロック解除のための認証画面を表示し（Ｓ３０２）、処理を終える。
Ｓ３０１において、ロック状態でなかった場合（Ｓ３０１：Ｎｏ）、ＣＰＵ１０１は、ロック撮影領域４０５に記録されている撮影画像に対する扱いを指示するための操作画面を表示部１０５に表示させる（Ｓ３０３）。ここでは、図１２（ａ）に示すような操作画面１２０１が表示されるものとする。ユーザは、操作画面１２０１において、対象となる撮影画像を選択する。また、選択した撮影画像に対して施す処理の内容を決定する。図１２（ａ）の場合、選択される撮影画像は「画像３」である。処理の内容は、コピー、削除又はキャンセルのいずれかである。「コピー」は、選択された撮像画像をロック撮影領域４０５からユーザ領域４０４へコピーすることを表す。「削除」は選択された撮影画像をロック撮影領域４０５から削除することを表す。「キャンセル」は、撮影画像に対して何もしないことを意味する。
【００１４】
図６は、撮影画像の扱い（処理の内容）に対するユーザの意図をテーブル化した図である。図６における「決定／未定」は、ユーザが撮影画像の扱いを意図をもって決定したかどうかを表す。ユーザにとって必要な撮影画像であれば、それをロック撮影領域４０５からユーザ領域４０４へコピーすることを「決定」する。不要な画像であれば、その撮影画像をロック撮影領域４０５から削除することを「決定」する。「未定」は意図が入力されていないことを意味する。
【００１５】
図３の処理に戻り、ＣＰＵ１０１は、ユーザが選択した撮影画像に対して行う処理の内容を指示の入力として受け付ける（Ｓ３０４）。そして、受け付けた処理の内容を実行する（Ｓ３０５）。ここでは、処理の内容として「ユーザ領域へのコピー」を受け付けたものとする。ＣＰＵ１０１は、ロック画像領域４０５に記録されている「画像３」をユーザ領域４０４に移す処理を実行する。この状態を図５（ｂ）に示す。次いで、ＣＰＵ１０１は、操作した「画像３」に対する処理の内容が「削除」，「決定」かどうかを判別する（Ｓ３０６）。図６によれば、「削除」が「決定」なので（Ｓ３０６：Ｙｅｓ）、ＣＰＵ１０１は、「画像３」をロック撮影領域４０５から削除する（Ｓ３０７）。このときの状態を示したのが図５（ｃ）である。なお、ロック撮影領域４０５の「画像３」の削除は、「画像３」をコピーした後、任意のタイミングでそれを行うことができる。
処理の内容を実行した後、ＣＰＵ１０１は、処理済を表す情報を「画像３」と関連付けて記録する。
【００１６】
なお、第１実施形態では、ロック状態で撮影された第１撮影画像とアンロック状態で撮影された第２撮影画像とを、それらの記録場所を切り替えることで区別する例について説明した。また、第１撮影画像については、ユーザの指示を待ってその扱い（処理の内容）を確定する例について説明した。しかし、本発明は、このような例に限定されるものではない。
例えば、第１撮影画像については、ロック状態で撮影されたことを表す撮影時情報を、第１撮影画像と関連付けてストレージ１０４に記録する構成であっても良い。つまり、撮影画像が、ロック状態で撮影された状態で撮影されたことが事後的に判るようにする構成であれば良い。このときの撮影時情報は、撮影されたときに形成されるプロパティ情報に付加されるものであっても良い。
【００１７】
第１実施形態では、また、ロック撮影領域４０５に記録された撮影画像の扱いを確定する際に、ロック状態と判別された場合に認証画面を表示して処理を終える場合の例を示したが、常にそのようにしなければならない訳ではない。認証処理に成功した場合に、Ｓ３０３以降の処理を続けるようにしても良い。
【００１８】
［第２実施形態］
第２実施形態では、第１実施形態で説明した情報処理装置を、マルチユーザ環境で使用する場合の例を説明する。第２実施形態に係る情報処理装置の構成は、第１実施形態に係る情報処理装置の構成と同様である。また、画像撮影時の処理手順も、図２とほぼ同じである。異なるのは、ＣＰＵ１０１が、ログイン可能な複数のユーザのアカウント情報を保持する管理手段として機能する点である。これに伴い、ＣＰＵ１０１が機能する制御手段の内容、特に、図２に示したＳ２０４の内容も異なるものとなる。例えば、ロック状態で撮影された撮影画像に対する処理の内容もユーザ毎に行うものとなる。また、ユーザ記録領域も個々のユーザ用のものとなる。
【００１９】
第２実施形態では、２名のユーザがログイン可能な情報処理装置を対象とし、当該情報処理装置において、各ユーザのアカウント情報が登録されているものとする。アカウント情報は、例えば文字列で構成されるＩＤである。第２実施形態では、ユーザＡのアカウント情報を「ユーザＡ」、ユーザＢのアカウント情報を「ユーザＢ」として登録する。ＣＰＵ１０１は、登録したアカウント情報とログインする際にユーザが入力したアカウント情報とを比較して認証し、成功したときにロック状態を解除する。
以後の説明では、アカウント情報として「ユーザＡ」が登録されているユーザを単にユーザＡ、アカウント情報として「ユーザＢ」が登録されているユーザを単にユーザＢと称する。
【００２０】
第２実施形態では、また、ストレージ１０４に、各アカウント情報に対応する、撮影画像の記録先となる記録領域が確保されているものとする。「ユーザＡ」用の記録領域を「ユーザＡ領域」、「ユーザＢ」用の記録領域を「ユーザＢ領域」とする。これらの記録領域とカメラの状態との関係を図９に示す。前提は図４に示した図と同じである。すなわち、アンロック状態のカメラ９０１で撮影された撮影画像がストレージ部分９０３のユーザＡ領域９０４に記録されることを示している。また、ロック状態のカメラ９０２で撮影された撮影画像がロック撮影領域９０６に記録されることを示している。ユーザＢ領域９０５は、「ユーザＢ」に対応する記録領域であるが、撮影画像は記録されていない。この状態を前提として、各状態のカメラ９０１、９０２で撮影された撮影画像に対する処理の内容を説明する。
【００２１】
図７は、撮影画像の記録の概要手順説明図である。図７の処理は、ユーザログインが完了したことに応じて開始される。ＣＰＵ１０１は、ログインしたユーザのアカウント情報を取得する（Ｓ７０１）。アカウント情報を認識すると、ＣＰＵ１０１は、アカウント情報に対応した記録領域（「ユーザＡ領域」、「ユーザＢ領域」）を取得する（Ｓ７０２）。その後、ＣＰＵ１０１は、撮影画像を、記録領域に記録するための処理を行う（Ｓ７０３）。
【００２２】
次に、撮影画像の扱いに関する処理について説明する。図８は、この全体処理の手順説明図であり、図１０（ａ）〜（ｇ）は、図８の処理の過程で変化するストレージ部分９０３の状態遷移図と、撮影画像の扱いに対するユーザの意図をテーブル化した図である。
まず、ストレージ部分９０３が図１０（ａ）に示す状態になっているものとする。ユーザＡ領域９０４には「画像１」，「画像２」が記録されている。ユーザＢ領域９０５には「画像３」が記録されている。ロック撮影領域９０６にはロック状態で撮影された「画像４」が記録されている。図１０（ｂ）はロック撮影領域９０６にある「画像４」の付属情報１００２である。付属情報１００２は、「画像４」の扱いに対するユーザＡ，ユーザＢの意図を表す操作済フラグの情報である。処理の内容は、図６に示したものと同様、３種類とする。「未」は各ユーザの確認が未定であることを表す。「済」はユーザの確認が済んでいることを表す。つまり、「画像４」が各ユーザにとって必要な撮影画像であれば、それをロック撮影領域９０６からユーザ領域９０４，９０５へコピーすることが「決定」されたことが済んでいることを表す。
【００２３】
次に、ユーザＡにより「ユーザ領域へのコピー」が指示されたときの処理手順を図８に従って説明する。本実施形態では、図８の処理は、物理ボタンの押下などによってユーザが情報処理装置に注目したことを検出して開始される。ＣＰＵ１０１は、第１実施形態と同様に、カメラがロック状態にあるかどうかを判別する（Ｓ８０１）。ロック状態である場合には、ロックを解除するための認証画面を表示する（Ｓ８０１：Ｙｅｓ、Ｓ８０２）。その後、処理を終える。
一方、ロック状態でない場合（Ｓ８０１：Ｎｏ）、ＣＰＵ１０１は、ユーザのログインアカウントを取得する（Ｓ８０３）。ここでは、ユーザＡのログインアカウントが取得される。ログインアカウントを取得すると、ＣＰＵ１０１は、撮影画像に対する処理の内容を指示するための操作画面を表示する（Ｓ８０４）。ＣＰＵ１０１は、また、撮影画像に対する処理の内容を受け付ける（Ｓ８０５）。処理の内容は、第１実施形態と同様、「ユーザ領域へのコピー」、「削除」、「何もしない」のいずれかである。また、操作の内容に対する「決定」／「未定」は、ユーザＡが撮影画像を必要とするか不要かを決定したかどうかである。
【００２４】
その後、ＣＰＵ１０１は、処理の内容を適用する（Ｓ８０６）。ここでは「ユーザ領域へのコピー」が選択されている。そうすると、ＣＰＵ１０１は、図１０（ｃ）に示すように、ロック撮影領域９０６に記録されている「画像４」をユーザＡ領域９０４へコピーする。また、ＣＰＵ１０１は、処理の内容が、「画像４」の扱いを決定するものかどうかを判別する（Ｓ８０７）。「ユーザ領域へのコピー」は「画像４」の扱いを決定する処理であり、コピー操作が済んだので、図１０（ｄ）に示すように、ユーザＡについての操作済フラグを「済」に更新する（Ｓ８０８）。
その後、ＣＰＵ１０１は、全アカウントにより対象画像の扱いを決定する処理が行われたかどうかを判別する（Ｓ８０９）。この時点では、ユーザＡのみが処理を行っていて、ユーザＢによる撮影画像の扱いを決定する操作が行われていないので、ロック撮影領域９０６の「画像４」をそのままにして処理を終える（Ｓ８０９：Ｎｏ）。
【００２５】
次に、ストレージ部分９０３が図１０（ｃ）の状態において、ユーザＢがログインしたときの処理について説明する。ユーザＢは、ロック撮影領域９０６に記録されている「画像４」をユーザＢ領域９０５へコピーして記録することを意図しているものとする。
ユーザＢのログイン後の処理は、ユーザＡについて行った図８のＳ８０１からＳ８０８までの処理と同じとなる。Ｓ８０６の処理では、ユーザＢが「ユーザ領域へのコピー」を意図しているので、ロック撮影領域９０６の「画像４」がユーザＢ領域９０５にコピーされる。その結果、ストレージ部分９０３は、図１０（ｅ）のようになる。また、Ｓ８０８の操作によって、ユーザＢの操作済フラグは、図１０（ｆ）に示されるように「済」になる。これにより、全アカウントにより対象画像の扱いを決定する処理が行われたので（Ｓ８０９：Ｙｅｓ）。ＣＰＵ１０１は、ロック撮影領域９０６から「画像４」を削除する（Ｓ８１０）。その結果、ストレージ部分９０３は、図１０（ｇ）に示す状態となる。
【００２６】
このように、第２実施形態によれば、カメラがロック状態かアンロック状態かに応じて撮影画像の処理の内容を切り替え、ロック状態における撮影画像を、アンロック状態と区別して管理することができる。また、ロック状態で撮影された画像に対する処理をユーザ単位で管理することで、ロック撮影領域の撮影画像に対して全ユーザが制御することができる。さらに、全ユーザによる操作が完了した時点で削除することができる。
【００２７】
［第３実施形態］
第３実施形態では、第２実施形態と同様、複数のユーザがログイン可能な情報処理装置を対象とし、２つのユーザアカウント（「ユーザＡ」，「ユーザＢ」）が登録されている場合の例を説明する。ユーザＡ領域とユーザＢ領域も確保されているものとする。第３実施形態に係る情報処理装置は、第２実施形態と同様の構成となる。つまり、ＣＰＵ１０１がアカウント情報の管理手段として機能する。また、画像撮影時の処理手順とロック撮影領域画像の処理手順は、基本的に第２実施形態と同様となる。異なるのは、Ｓ８０３のアカウント情報を取得する処理の詳細部分である。
【００２８】
図１１は、第３実施形態におけるアカウント情報に関する処理の概要手順説明図である。図１１の処理は、ロック解除が完了したことに応じて開始される。第３実施形態では、２つの例を用いる。１つ目は、ロック前にユーザＡがログインしていて、その後ロック状態となり、さらに、ユーザＡがロック状態を解除する場合の例である。２つ目は、ロック前にユーザＢがログインしていて、その後ロック状態となり、さらに、ユーザＡがロック状態を解除する場合の例である。
【００２９】
まず、１つ目の例について説明する。ＣＰＵ１０１は、ロック前、最後にログインしていたユーザのアカウント情報を取得する（Ｓ１１０１）。本例では、ユーザＡがロック前にログインしていたので、ユーザＡが取得される。その後、ＣＰＵ１０１は、ロック解除状態としたユーザのアカウント情報を取得する（Ｓ１１０２）。本例では、ユーザＡがロック状態を解除するので、ユーザＡが取得される。
ＣＰＵ１０１は、Ｓ１１０１で取得したアカウント情報とＳ１１０２で取得したアカウント情報とを比較する（Ｓ１１０３）。本例では、アカウント情報が一致するので、同じユーザのログインであると認識し、ロック撮影領域９０６に記録されている画像に対するユーザＡの指示の入力を待って、処理の内容を確定させる。図１２（ａ）は、この例における図８のＳ８０４の操作画面表示によって表示される画面の一例である。
【００３０】
次に２つ目の例について説明する。ＣＰＵ１０１は、Ｓ１１０１でユーザＢのアカウント情報を取得する。続いて、ＣＰＵ１０１は、Ｓ１１０２でユーザＡのアカウント情報を取得する。アカウント情報は異なるので（不一致）、ＣＰＵ１０１は、ロック前後で異なるユーザがログインしていると認識する（Ｓ１１０３）。この場合は、ロック撮影領域９０６に記録されている撮影画像に対する処理の内容を保留する。図１２（ｂ）は、この例における図８のＳ８０４の処理により表示される画面１２０２を示す。つまり、ユーザＢがロック状態での撮影を行った可能性があることを示すメッセージ１２０３が表示される。これにより、ユーザＢの意図に反する処理の内容の確定を防止することができる。
【００３１】
このように、第３実施形態によれば、ロック前後のアカウント情報を比較することによって、ロック状態で撮影された撮影画像を処理する際に、異なるユーザがロック状態で撮影した撮影画像を誤って削除することを回避することができる。ユーザＢにとっては、撮影画像について意図しない処理がなされる事態を回避することができる。
【００３２】
［変形例］
第１ないし第３実施形態では、撮像装置を有する情報処理装置についての実施の形態例を説明したが、本発明は、様々な形態で実施することが可能である。
例えば、上述した判別手段、記録手段及び制御手段を備えた撮像装置としての実施が可能である。その際、第１撮影画像を操作するための操作画面を表示する表示部１０５を備えるものとすることができる。この場合、制御手段は、操作画面を通じてユーザから入力された第１操作画像に対する処理の内容を受け付け、受け付けた処理の内容を実行するように構成される。
【００３３】
本発明は、また、撮影画像の管理方法としての実施も可能である。この管理方法は、上記の情報処理装置又は撮像装置により実行される以下の工程を有するものである。
（１）ロック状態とアンロック状態のいずれの状態でもユーザによる撮影が可能な撮像部の撮影時の撮像部の状態を判別する工程。
（２）撮像部がロック状態のときに撮影された第１撮影画像を、アンロック状態のときに撮影された第２撮影画像と区別してストレージ１０４に記録する工程。
（３）ストレージ１０４に記録されている第１撮影画像に対する扱いをユーザの指示の入力を待って確定する工程。
【００３４】
また、本発明の実施の形態は、例えば、制御プログラムの指示に基づき、情報処理装置や撮像装置上で稼働しているＯＳなどが実際の処理の一部または全部を行い、その処理によって前述した実施形態の機能が実現される場合も含まれる。さらに、情報処理装置又は撮像装置に挿入された機能拡張ボードや当該機能拡張ユニットと協働で処理を実行し、それによって前述した各実施形態の機能が実現される場合も含まれる。また、上述の各実施形態の１以上の機能を実現する制御プログラムを、ネットワーク又は記憶媒体を介して汎用のコンピュータに供給し、そのコンピュータにおける１つ以上のプロセッサが制御プログラムを読出し実行する処理でも実現可能である。また、１以上の機能を実現する回路（例えば、ＡＳＩＣ）によっても実現可能である。また、上記制御プログラムなどを記録した記憶媒体もまた、本発明の実施の一態様である。このような記憶媒体としては、例えば、フレキシブルディスク、外部ハードディスク、光ディスク、光磁気ディスク、ＣＤ−ＲＯＭ、ＣＤ−Ｒ、磁気テープ、不揮発性のメモリカード、ＲＯＭなどを用いることができる。
【図１】
2016063510.tif 000003
【図２】
2016063510.tif 000004
【図３】
2016063510.tif 000005
【図４】
2016063510.tif 000006
【図５】
2016063510.tif 000007
【図６】
2016063510.tif 000008
【図７】
2016063510.tif 000009
【図８】
2016063510.tif 000010
【図９】
2016063510.tif 000011
【図１０】
2016063510.tif 000012
【図１１】
2016063510.tif 000013
【図１２】
2016063510.tif 000014